(57)【特許請求の範囲】
【請求項１】
被写体の照明光側にホログラム感材を配置し、照明光をホログラム感材側から入射させて、照明光と被写体からの拡散光との干渉によりホログラムを撮影する方法において、ホログラム感材と被写体の間に前記ホログラム感材を透過した前記照明光の前記被写体照明角度を変換する透過型ホログラムを配置することを特徴とするホログラム作製方法。
【請求項２】
前記透過型ホログラムは体積型ホログラムであることを特徴とする請求項１記載のホログラム作製方法。
【請求項３】
前記透過型ホログラムは、前記照明光の一部を回折しないで０次回折光として透過させる特性を有するものであることを特徴とする請求項１又は２記載のホログラム作製方法。
【発明の詳細な説明】
【０００１】
【発明の属する技術分野】
本発明は、ホログラム作製方法に関し、特に、一光束で被写体を撮影するデニシュークのホログラム撮影方法に関するものである。
【０００２】
【従来の技術】
従来、ホログラム撮影方法として、一光束を用い、その光束を一旦体積ホログラム感材を通過させてその体積ホログラム感材の背後に配置した被写体を照明し、被写体からの散乱光と照明光とを体積ホログラム感材中で干渉させることにより反射型で体積型のホログラムを撮影するデニシュークの方法と呼ばれるホログラム撮影方法がある。この方法は物体光と照明光とを分割して用いる二光束撮影法と異なり、撮影光学系が簡単な点に特長がある。
【０００３】
このデニシュークの方法の問題として、被写体の形状が制限されることがある。例えば、凹凸が大きい被写体の場合、この撮影方法では良好なホログラム撮影が難しい。図３を参照にして、具体的にこの問題を説明する。デニシュークのホログラム撮影方法においては、フォトポリマー等の体積ホログラム感材１の背後に被写体Ｏを配置し、体積ホログラム感材１側から一つの光束２を入射させ、体積ホログラム感材１を通過した光束２により被写体Ｏを照明する。そして、被写体Ｏから散乱した光３と入射光２とを体積ホログラム感材１中で干渉させることにより反射型で体積型ホログラムが撮影される。
【０００４】
【発明が解決しようとする課題】
このデニシュークの方法では、再生時に自然な角度で照明して観察可能とするために、照明光２は通常は斜め上方から入射させる。ところが、被写体Ｏに大きな凹凸がある場合、凹部が影となり、その部分の被写体Ｏの形状が記録されない。
【０００５】
図３の例では、被写体Ｏとして帽子を目深にかぶった人形を撮影する場合、照明光２を斜め上方から入射させると、帽子のひさしａにより人形の顔が影部分Ａとなり、そこから散乱光３が生じないため、その部分Ａはホログラムとして記録されなくなってしまう。
【０００６】
本発明は従来技術のこのような問題点に鑑みてなされたものであり、その目的は、デニシュークのホログラム撮影方法において、凹凸がある被写体の表面形状をもれなく記録ができるようにすることである。
【０００７】
【課題を解決するための手段】
上記目的を達成する本発明のホログラム作製方法は、被写体の照明光側にホログラム感材を配置し、照明光をホログラム感材側から入射させて、照明光と被写体からの拡散光との干渉によりホログラムを撮影する方法において、ホログラム感材と被写体の間に透過型ホログラムを配置することを特徴とする方法である。
【０００８】
この場合に、透過型ホログラムは体積型ホログラムであることが望ましい。
【０００９】
また、その透過型ホログラムは、ホログラム感材を透過した照明光の被写体照明角度を変換するものであることが望ましい。
【００１０】
また、その透過型ホログラムは、照明光の一部を回折しないで０次回折光として透過させる特性を有するものであることが望ましい。
【００１１】
本発明においては、ホログラム感材と被写体の間に透過型ホログラムを配置したので、被写体に大きな凹凸がある場合でも、その全体を影なく照明してホログラム記録することができる。したがって、デニシュークのホログラム撮影方法において、被写体を斜め方向から照明しても、被写体に影ができることによるホログラムの品質低下や、被写体そのものの形状の制限をなくすことができる。
【００１２】
【発明の実施の形態】
以下、本発明のホログラム作製方法を図面を参照にして説明する。
本発明では、図３を用いて説明した被写体Ｏの影部Ａがホログラムとして記録されない問題を解決するために、被写体Ｏと体積ホログラム感材１の間に、図１に示すように、透過型ホログラム４を配置し、体積ホログラム感材１を通過した照明光２を透過型ホログラム４によって被写体Ｏに対して例えば略垂直方向の照明光６に変えることにより、影部Ａ（図３）をなくす方法である。こうすることにより、前記のように被写体Ｏに大きな凹凸がある場合でも、その全体を影なく照明してホログラム記録することができる。
【００１３】
図１を参照にして詳しく説明する。図３の場合と同様に、フォトポリマー等の体積ホログラム感材１の背後に被写体Ｏを配置し、体積ホログラム感材１側から一つの光束２を入射させる。この際、上記のように、被写体Ｏと体積ホログラム感材１の間に透過型ホログラム４を配置する。
【００１４】
ここで、透過型ホログラム４は、図２のような配置で体積ホログラム感材１０中に記録した一様なブラッグ格子からなる透過型ホログラムである。すなわち、フォトポリマー等の体積ホログラム感材１０の同じ側から、図１の照明光２と同じ波長の光１１を図１の入射角θと同じ入射角θで入射させると共に、別の可干渉光１２をホログラム感材１０に垂直に近い角度θ’で入射させることにより、一様なブラッグ格子からなる透過型ホログラム４が記録される。
【００１５】
この透過型ホログラム４は、入射角θで入射された照明光２を透過側に射出角θ’で出る照明光６に変換するものであり、かつ、体積ホログラムであるため、その被写体Ｏ側から入射角θ’以外で入射する散乱光３を直通させる特性を有するものである。
【００１６】
したがって、体積ホログラム感材１を通過した照明光２は、透過型ホログラム４によって被写体Ｏに対して例えば略垂直方向の照明光６に変換されるので、被写体Ｏに大きな凹凸がある場合でも、この略垂直な照明光６によって照明され、影はできない。被写体Ｏから散乱された光３の大部分は透過型ホログラム４を回折されずに透過し、体積ホログラム感材１に背面側から入射し入射光２と干渉することにより、被写体Ｏ全体の反射型で体積型のホログラムが記録される。
【００１７】
ここで、被写体Ｏに問題ない程度に影を付けて立体感を強調したい場合は、透過型ホログラム４からの回折光６の角度θ’を垂直方向以外に変えることによって、容易に対応できる。
【００１８】
このように、デニシュークの方法において、照明光２の角度を変換する透過型ホログラム４を用いることにより、再生時に自然な照明角度θ、例えば垂直から３０〜４０°で被写体Ｏを照明しても、被写体Ｏに影ができることによるホログラムの品質低下や、被写体Ｏそのものの形状の制限をなくすことができる。
【００１９】
ところで、上記したように、被写体Ｏに一旦当り後方に戻る光３はすでに散乱光となっているため、体積型の透過型ホログラム４で再度で回折される恐れは少ない。しかしながら、被写体Ｏの表面形状が鏡面に近く、略垂直に反射する成分が多い場合等は、散乱光３が透過型ホログラム４で再度回折され、その部分が記録できなくなる割合が高くなる。このような場合は、透過型ホログラム４の回折効率を抑えて０次光５が多くなるようにすることによって、その問題に対応することができる。
【００２０】
以上、本発明のホログラム作製方法を実施例に基づいて説明してきたが、本発明はこれら実施例に限定されず種々の変形が可能である。
【００２１】
【発明の効果】
以上の説明から明らかなように、本発明のホログラム作製方法によると、ホログラム感材と被写体の間に透過型ホログラムを配置したので、被写体に大きな凹凸がある場合でも、その全体を影なく照明してホログラム記録することができる。したがって、デニシュークのホログラム撮影方法において、被写体を斜め方向から照明しても、被写体に影ができることによるホログラムの品質低下や、被写体そのものの形状の制限をなくすことができる。
【図面の簡単な説明】
【図１】本発明のホログラム作製方法を実施する１つの光学配置を示す図である。
【図２】図１において用いる透過型ホログラムを記録するための光学配置を示す図である。
【図３】従来のデニシュークのホログラム撮影方法を説明するための図である。
【符号の説明】
Ｏ…被写体
Ａ…影部
ａ…帽子のひさし
１…体積ホログラム感材
２…照明光
３…散乱光
４…透過型ホログラム
５…０次光
６…角度変換後の照明光（回折光）
１０…体積ホログラム感材
１１、１２…光束
【図１】
0004127429.tif 000002
【図２】
0004127429.tif 000003
【図３】
0004127429.tif 000004